(57)【特許請求の範囲】
【請求項１】
端子金具が挿入される端子収容部の一端側に電線引き出し用開放部を有したハウジング本体と、前記電線引き出し用開放部に着脱可能に結合されて前記電線の外側から前記電線引き出し用開放部を覆うと共に前記電線引き出し用開放部から延出する電線の引き出し方向を規制するカバーと、を備えるカバー付きコネクタであって、
前記ハウジング本体は、前記電線引き出し用開放部の外周囲の直径方向に対向する２位置に設けられた一対のカバー当接部と、前記一対のカバー当接部間に位置する前記電線引き出し用開放部の外周囲上で、且つ前記一対のカバー当接部を結ぶ線分と直交する直径方向に対向する２位置に装備された一対の第１のカバー係止部と、を備え、
前記カバーは、前記電線引き出し用開放部に取り付けた状態で前記一対のカバー当接部と前記カバーの突き合わせ方向に突き当たる一対の突き当て部と、前記一対の突き当て部が前記一対のカバー当接部に突き当たったときに前記一対の第１のカバー係止部と係合して、前記ハウジング本体と前記カバーとを結合状態とする一対の第１のハウジング係合部と、
を備えたカバー付きコネクタにおいて、
前記カバーは、前記端子金具の端子収容部への挿入方向と直交する方向に電線の引き出し方向を規制するカバー本体を備え、
前記一対の突き当て部は、前記電線の引き出し方向に対向する位置に装備されており、
前記ハウジング本体は、前記一対の第１のカバー係止部が設けられている外面とは異なる方向に向いている外面に、第２のカバー係止部を備え、
前記カバーは、前記一対の第１のカバー係止部と前記一対の第１のハウジング係合部とが係合した状態で前記第２のカバー係止部に係合して、前記ハウジング本体と前記カバーとを結合状態とする第２のハウジング係合部を備える
ことを特徴とするカバー付きコネクタ。
【請求項２】
前記カバー本体は、前記電線の引き出し方向の先端側に薄肉ヒンジ部を介して回動可能に一体形成されて、前記電線に被せられた保護チューブを把持するチューブ押さえを備え、
前記チューブ押さえに、前記第２のハウジング係合部が形成されていることを特徴とする請求項１に記載のカバー付きコネクタ。
【発明の詳細な説明】
【技術分野】
【０００１】
本発明は、ハウジング本体の電線引き出し用開放部に着脱可能に装着されるカバーを備え、前記カバーによって電線の引き出し方向を規制するカバー付きコネクタに関する。
【背景技術】
【０００２】
図１３及び図１４は、カバー付きコネクタの従来例を示したものである。
ここに示したカバー付きコネクタ１０１は、下記特許文献１に開示されたもので、複数の雌型の端子金具１０３を収容保持するハウジング本体１１０と、このハウジング本体１１０に着脱可能に取り付けられるカバー１２０と、を備える。
【０００３】
ハウジング本体１１０は、雌型の端子金具１０３が挿入される複数の端子収容部１１１と、これらの端子収容部１１１の一端（後端）側に位置した電線引き出し用開放部１１２と、を有している。電線引き出し用開放部１１２は、図１４に示すように、雌型の端子金具１０３の後端に接続された電線１３０を外部に引き出すための開口部である。
【０００４】
カバー１２０は、ハウジング本体１１０の電線引き出し用開放部１１２に着脱可能に結合される。ハウジング本体１１０に結合されたカバー１２０は、図１４に示すように、電線引き出し用開放部１１２から引き出された電線１３０の外側から電線引き出し用開放部１１２を覆うと共に、電線引き出し用開放部１１２から延出する電線１３０の引き出し方向を、雌型の端子金具１０３の挿入方向と直交する鉛直下方に規制する。
【０００５】
カバー１２０は、ハウジング本体１１０に取り付けた状態では、電線１３０の引き出し方向とは逆側となる上部壁１２０ａが、ハウジング本体１１０の上部壁１１０ａの上に被さる。ハウジング本体１１０の上部壁１１０ａには、カバー係止部としての係止突起１１５が突設されている。一方、カバー１２０の上部壁１２０ａの内面には、カバー１２０をハウジング本体１１０に取り付けたときに係止突起１１５と係合して、ハウジング本体１１０とカバー１２０とを結合状態とするハウジング係合部としての係合溝１２５が設けられている。
【０００６】
図１３及び図１４に示したカバー付きコネクタ１０１は、雌型の端子金具１０３を収容保持した雌コネクタで、雄型の端子金具２０３を収容保持した雄コネクタ２０１に嵌合接続される。図１３及び図１４に示した矢印Ｑ１は、雄コネクタ２０１に対するカバー付きコネクタ１０１の嵌合方向を示している。
【先行技術文献】
【特許文献】
【０００７】
【特許文献１】特開平７−１５３５２１号公報
【発明の概要】
【発明が解決しようとする課題】
【０００８】
ところが、特許文献１に開示されたカバー付きコネクタ１０１の場合、ハウジング本体１１０とカバー１２０との結合状態は、電線１３０の引き出し方向とは逆側に位置するカバー１２０の上部側の係合溝１２５をハウジング本体１１０の上部の係止突起１１５に係合させているだけで、電線１３０の引き出し方向側となるカバー１２０の下部側の位置を維持するための特別な手段は有していない。
【０００９】
そのため、カバー１２０により覆われている状態の電線１３０が外力によって図１４の矢印Ｑ２で示す方向に振れて、カバー１２０の下部側にハウジング本体１１０から離脱する方向の荷重Ｆが作用すると、その荷重Ｆによってカバー１２０の下部が荷重方向に位置ずれして、カバー１２０の取り付け姿勢が崩れたりカバー１２０がハウジング本体１１０から脱落したりする不都合の発生するおそれがあった。
【００１０】
そして、カバー１２０に取り付け姿勢の崩れや脱落が生じた場合には、ハウジング本体１１０から引き出される電線１３０の引き出し方向が乱れて、近接する周囲の電線との絡み付き等の二次的な不都合を招くおそれがあった。
【００１１】
そこで、本発明の目的は、上記課題を解消することに係り、ハウジング本体の電線引き出し用開放部に着脱可能に装着されるカバーが電線の振れによって荷重を受けても、その荷重によってカバーの取り付け姿勢が崩れたりカバーがハウジング本体から脱落したりする不都合の発生を防止することができ、従って、前記カバーの取り付け姿勢の崩れや脱落によって電線の引き出し方向が乱れることを防止することのできるカバー付きコネクタを提供することにある。
【課題を解決するための手段】
【００１２】
本発明の前述した目的は、下記の構成により達成される。
（１）端子金具が挿入される端子収容部の一端側に電線引き出し用開放部を有したハウジング本体と、前記電線引き出し用開放部に着脱可能に結合されて前記電線の外側から前記電線引き出し用開放部を覆うと共に前記電線引き出し用開放部から延出する電線の引き出し方向を規制するカバーと、を備えるカバー付きコネクタであって、
前記ハウジング本体は、前記電線引き出し用開放部の外周囲の直径方向に対向する２位置に設けられた一対のカバー当接部と、前記一対のカバー当接部間に位置する前記電線引き出し用開放部の外周囲上で、且つ前記一対のカバー当接部を結ぶ線分と直交する直径方向に対向する２位置に装備された一対の第１のカバー係止部と、を備え、
前記カバーは、前記電線引き出し用開放部に取り付けた状態で前記一対のカバー当接部と前記カバーの突き合わせ方向に突き当たる一対の突き当て部と、前記一対の突き当て部が前記一対のカバー当接部に突き当たったときに前記一対の第１のカバー係止部と係合して、前記ハウジング本体と前記カバーとを結合状態とする一対の第１のハウジング係合部と、
を備えたカバー付きコネクタにおいて、
前記カバーは、前記端子金具の端子収容部への挿入方向と直交する方向に電線の引き出し方向を規制するカバー本体を備え、
前記一対の突き当て部は、前記電線の引き出し方向に対向する位置に装備されており、
前記ハウジング本体は、前記一対の第１のカバー係止部が設けられている外面とは異なる方向に向いている外面に、第２のカバー係止部を備え、
前記カバーは、前記一対の第１のカバー係止部と前記一対の第１のハウジング係合部とが係合した状態で前記第２のカバー係止部に係合して、前記ハウジング本体と前記カバーとを結合状態とする第２のハウジング係合部を備える
ことを特徴とするカバー付きコネクタ。
【００１５】
（２）前記カバー本体は、前記電線の引き出し方向の先端側に薄肉ヒンジ部を介して回動可能に一体形成されて、前記電線に被せられた保護チューブを把持するチューブ押さえを備え、
前記チューブ押さえに、前記第２のハウジング係合部が形成されていることを特徴とする上記（１）に記載のカバー付きコネクタ。
【００１６】
上記（１）の構成によれば、外力による電線の振れによって、カバーに装備した一対の突き当て部の内の一方の突き当て部をハウジング本体から離間させる方向の荷重がカバーに作用した場合、他方の突き当て部及び一対の第１のハウジング係合部は、ハウジング本体側との突き当たり若しくは係合によって、一方の突き当て部がハウジング本体から離間する方向へのカバーの変位を規制する抗力を発揮する。
【００１７】
また、外力による電線の振れによって、カバーに装備した一対の突き当て部の内の一方の突き当て部をハウジング本体内に押し込む方向の荷重がカバーに作用した場合、一方の突き当て部及び一対の第１のハウジング係合部は、ハウジング本体側との突き当たり若しくは係合によって、一方の突き当て部がハウジング本体側へ押し込まれる方向へのカバーの変位を規制する抗力を発揮する。
【００１８】
即ち、上記（１）の構成によれば、一対の第１のハウジング係合部の他に、一対の突き当て部の何れか一方が、電線から作用する荷重によってカバーが変位することを規制してカバーの位置を維持する手段として有効に働く。従って、ハウジング係合部しか装備していない従来のカバー付きコネクタと比較すると、ハウジング本体へのカバーの取り付け姿勢を維持する性能が向上する。
【００１９】
そのため、ハウジング本体の電線引き出し用開放部に着脱可能に装着されるカバーが電線の振れによって荷重を受けても、その荷重によってカバーの取り付け姿勢が崩れたりカバーがハウジング本体から脱落したりする不都合の発生を防止することができ、カバーの取り付け姿勢の崩れや脱落によって電線の引き出し方向が乱れることを防止することができる。
【００２０】
しかも、一対の突き当て部は、ハウジング係合部とは異なり、カバーをハウジング本体に装着する際に摺動抵抗等を発生しないため、カバーのハウジング本体への取り付け操作力が増大することもない。
【００２１】
また、上記（１）の構成によれば、カバーが、電線を、端子金具の端子収容部への挿入方向と直交する方向に曲げた状態に位置規制するため、電線が端子金具の端子収容部への挿入方向に沿って真っ直ぐに引き出される場合と比較すると、電線のハウジング本体からの突出長を抑えて、コネクタ背部等における電線の配索スペースの削減を図ることができる。
【００２２】
そして、一対の突き当て部が電線の引き出し方向に対向する位置に装備されているため、ハウジング本体から引き出された電線の振れによってカバーに作用する荷重は、一対の突き当て部の内の一方の突き当て部側に作用点を持つ状況となり、突き当て部がカバーの変位を規制する効果が十分に活かされる。
【００２３】
また、上記（１）の構成によれば、一対の第１のハウジング係合部の他に、第２のハウジング係合部がハウジング本体と係合していて、カバーとハウジング本体との係合部が増加したことによって、カバーとハウジング本体との結合強度を向上させることができ、電線の引き出し方向を規制するカバーの電線保持力を向上させることができる。
【００２４】
また、第２のハウジング係合部と第１のハウジング係合部とは互いに異なる外面に備えられているため、カバー付きコネクタの落下時等に、第２のハウジング係合部と第１のハウジング係合部とが同時に器物と衝突することがなく、万が一、衝突により一方のハウジング係合部による係合が解除されても、他方のハウジング係合部が係合状態を維持するため、カバーがハウジング本体から脱落することがなく、カバーによる保護性能等を維持することができる。
【００２５】
上記（２）の構成によれば、ハウジング本体から引き出される電線が保護チューブに収容された状態になるため、カバー付きコネクタから引き出された電線に対する保護性能が高い。
【００２６】
また、第２のハウジング係合部が形成されるチューブ押さえは、カバーのカバー本体に一体形成されているため、第２のハウジング係合部の装備のために構成部品点数が増加することもない。
【発明の効果】
【００２７】
本発明によるカバー付きコネクタによれば、一対の第１のハウジング係合部の他に、一対の突き当て部の何れか一方が、電線から作用する荷重によってカバーが変位することを規制してカバーの位置を維持する手段として有効に働く。従って、ハウジング係合部しか装備していない従来のカバー付きコネクタと比較すると、ハウジング本体へのカバーの取り付け姿勢を維持する性能が向上する。
【００２８】
そのため、ハウジング本体の電線引き出し用開放部に着脱可能に装着されるカバーが電線の振れによって荷重を受けても、その荷重によってカバーの取り付け姿勢が崩れたりカバーがハウジング本体から脱落したりする不都合の発生を防止することができ、カバーの取り付け姿勢の崩れや脱落によって電線の引き出し方向が乱れることを防止することができる。
【００２９】
しかも、一対の突き当て部は、ハウジング係合部とは異なり、カバーをハウジング本体に装着する際に摺動抵抗等を発生しないため、カバーのハウジング本体への取り付け操作力が増大することもない。
【図面の簡単な説明】
【００３０】
【図１】本発明に係るカバー付きコネクタの第１実施形態の分解斜視図である。
【図２】図１に示したカバー付きコネクタの組み立て完了状態の側面図である。
【図３】図１に示したカバーが電線に被せられた状態のカバー内面図である。
【図４】図１に示したカバーが電線を保持している状態の斜視図である。
【図５】第１実施形態のカバー付きコネクタから引き出された電線がハウジング本体の後方側に振れたときの作用説明図である。
【図６】第１実施形態のカバー付きコネクタから引き出された電線がハウジング本体の前方側に振れたときの作用説明図である。
【図７】本発明に係るカバー付きコネクタの第２実施形態の分解斜視図である。
【図８】図７に示したカバー付きコネクタの組み立て完了状態の側面図である。
【図９】図７に示したカバーが電線に被せられた状態のカバー内面図である。
【図１０】図９に示したカバーのチューブ押さえを閉じた状態の斜視図である。
【図１１】第２実施形態のカバー付きコネクタから引き出された電線がハウジング本体の前後方向に振れたときの作用説明図である。
【図１２】図１１のＡ部の拡大図である。
【図１３】従来のカバー付きコネクタの分解斜視図である。
【図１４】図１３に示したカバー付きコネクタのハウジング本体にカバーが取り付けられた状態の縦断面図である。
【発明を実施するための形態】
【００３１】
以下、本発明に係るカバー付きコネクタの好適な実施形態について、図面を参照して詳細に説明する。
【００３２】
［第１実施形態］
図１〜図６は本発明に係るカバー付きコネクタの第１実施形態を示したもので、図１は第１実施形態のカバー付きコネクタの分解斜視図、図２は図１に示したカバー付きコネクタの組み立て完了状態の側面図、図３は図１に示したカバーが電線に被せられた状態のカバー内面図、図４は図１に示したカバーが電線を保持している状態の斜視図、図５は第１実施形態のカバー付きコネクタから引き出された電線がハウジング本体の後方側に振れたときの作用説明図、図６は第１実施形態のカバー付きコネクタから引き出された電線がハウジング本体の前方側に振れたときの作用説明図である。
【００３３】
この第１実施形態のカバー付きコネクタ１は、２つの端子金具を収容保持するハウジング本体１０と、このハウジング本体１０に着脱可能に取り付けられるカバー２０と、を備える。
【００３４】
ハウジング本体１０は、不図示の端子金具が挿入される端子収容部１１の一端（後端）側に、電線引き出し用開放部１２を有している。電線引き出し用開放部１２は、端子金具の後端に接続された電線３０を外部に引き出すための開口部である。
【００３５】
なお、図１に示す矢印Ｙ１は、ハウジング本体１０に対する端子金具の挿入方向である。
【００３６】
端子収容部１１に収容される各端子金具（不図示）の後端側には、防水栓１４が嵌合装着される。防水栓１４は、端子金具の後端部において端子収容部１１を封止して、電線引き出し用開放部１２側から雨水等が浸入することを防止する。
【００３７】
本実施形態のハウジング本体１０は、図１に示すように、電線引き出し用開放部１２の外周囲を囲う後部外周壁１５に、一対のカバー当接部１６ａ，１６ｂと、一対のカバー係止溝１８と、が設けられている。
【００３８】
一対のカバー当接部１６ａ，１６ｂは、後述のカバー２０の突き当て部が当接する部位で、後部外周壁１５の端面の一部に形成されている。カバー当接部１６ａは後部外周壁１５の上側且つ中央部に位置する端面であり、カバー当接部１６ｂは後部外周壁１５の下側に位置する端面である。即ち、一対のカバー当接部１６ａ，１６ｂは、後部外周壁１５の端面上で、電線引き出し用開放部１２の外周囲の直径方向に対向する２位置に設けられている。更に、詳しく説明すると、一対のカバー当接部１６ａ，１６ｂは、上下（垂直）方向（図１の矢印Ｚ１に沿う方向）に対向する２位置に設けられている。
【００３９】
一対のカバー係止溝１８は、カバー２０を電線引き出し用開放部１２に結合させる係止部で、請求項１における第１のカバー係止部に相当する。一対のカバー係止溝１８は、ハウジング本体１０の幅方向（図１の矢印Ｘ１方向）に対向する後部外周壁１５の両側部に、貫通形成されている。一対のカバー係止溝１８が装備される２位置は、一対のカバー当接部１６ａ，１６ｂを結ぶ線分と直径方向に直交する方向（図１の矢印Ｘ１方向）である。なお、図１に示した矢印Ｙ１と矢印Ｘ１と矢印Ｚ１とは、互いに直交している。
【００４０】
カバー２０は、電線引き出し用開放部１２に着脱可能に結合されて電線３０の外側から電線引き出し用開放部１２を覆うと共に、電線引き出し用開放部１２から延出する電線３０の引き出し方向を、端子金具の挿入方向（図１の矢印Ｙ１方向）に直交する鉛直下方の方向（図１の矢印Ｚ１方向）に規制する部材である。
【００４１】
本実施形態のカバー２０は、図１〜図４に示すように、電線引き出し用開放部１２を覆うと共に電線３０の引き出し方向を規制するカバー本体２１と、一対の突き当て部２２ａ，２２ｂと、一対の第１のハウジング係合部として装備された一対のハウジング係合突起２３と、チューブ押さえ２４と、を備えている。
【００４２】
カバー本体２１は、図３に示すように、内面に、電線引き出し用開放部１２から引き出される電線３０を嵌め込んで位置決めする電線保持溝２１ａが形成される。電線保持溝２１ａは、電線３０を１本ずつ位置決めするように、複数（本実施形態の場合は、２本）装備されている。
【００４３】
本実施形態のカバー本体２１は、端子金具の端子収容部１１への挿入方向（図１の矢印Ｙ１方向）と直交する鉛直下方（図１の矢印Ｚ１方向）に電線３０の引き出し方向を規制する。
【００４４】
一対の突き当て部２２ａ，２２ｂは、ハウジング本体１０に設けられた一対のカバー当接部１６ａ，１６ｂとカバー２０の突き合わせ方向（図１の矢印Ｙ１方向）に突き当たる部位である。
【００４５】
突き当て部２２ａは、図１に示すように、カバー当接部１６に面接触する平板部２２１と、この平板部２２１の背部に立設された３本の補強用リブ２２２とから構成されている。
【００４６】
突き当て部２２ｂは、図３及び図４に示すように、カバー２０の突き合わせ方向（図１の矢印Ｙ１方向）からカバー当接部１６ｂに面接触する突き当て面２２４と、カバー当接部１６ｂとなっている後部外周壁１５を板厚方向から挟持する一対の凸壁２２５ａ，２２５ｂとを備えている。
【００４７】
一対の突き当て部２２ａ，２２ｂは、後部外周壁１５上のカバー当接部１６ａ，１６ｂに対応して、カバー本体２１上に上下方向（図１の矢印Ｚに沿う方向）に対向して装備されている。言い換えると、一対の突き当て部２２ａ，２２ｂが対向する位置は、電線３０の引き出し方向に対向する位置である。
【００４８】
一対のハウジング係合突起２３は、カバー２０を電線引き出し用開放部１２の端部に押し付けて一対の突き当て部２２ａ，２２ｂが一対のカバー当接部１６ａ，１６ｂに突き当たったときに、後部外周壁１５上の一対のカバー係止溝（第１のカバー係止部）１８と係合して、ハウジング本体１０とカバー２０とを結合状態とする。
【００４９】
本実施形態の場合、ハウジング係合突起２３は、図１に示すように、長さ寸法がカバー係止溝１８の長さに相応した薄肉のテーパ状突起部２３１と、テーパ状突起部２３１の背面側の中央部に隆起形成された隆起部２３２と、を備える。ハウジング係合突起２３は、隆起部２３２を備えたことで、中央部が厚肉化した段差構造になっている。このような段差構造にすることで、ハウジング係合突起２３の長さ方向の両端は変形が容易になり、カバー係止溝１８への嵌合が容易になると同時に、嵌合完了時には、ハウジング係合突起２３とカバー係止溝１８との嵌合が緊密嵌合となって、堅固な結合を実現することができる。
【００５０】
チューブ押さえ２４は、電線３０に被せられた保護チューブ４１を把持する部材である。本実施形態の場合、保護チューブ４１としては、可撓性と適度な剛性とを兼ね備えたコルゲートチューブが使用されている。
【００５１】
チューブ押さえ２４は、カバー本体２１上で電線３０の引き出し方向の先端側に、一体形成されている。このチューブ押さえ２４は、図３に示すように、一端側が薄肉ヒンジ部２６を介して回動可能にカバー本体２１に連結されている。また、チューブ押さえ２４の他端側には、係合片２４ａが一体形成されている。この係合片２４ａは、図２及び図４に示すように、チューブ押さえ２４が保護チューブ４１を押さえ付けたときに、カバー本体２１の側部の係止突起２１ｂに係止される。チューブ押さえ２４は、係合片２４ａが係止突起２１ｂに係止されることで、保護チューブ４１を把持した状態に固定される。
【００５２】
以上に説明した第１実施形態のカバー付きコネクタ１では、外力によって電線３０が図５の矢印Ｐ１方向に振れると、この電線３０の振れによって、カバー２０に装備した一対の突き当て部２２ａ，２２ｂの内の一方の突き当て部２２ｂをハウジング本体１０から離間させる方向の荷重がカバー２０に作用する。その場合に、他方の突き当て部２２ａ及び一対のハウジング係合突起２３は、ハウジング本体１０側との突き当たり若しくは係合によって、一方の突き当て部２２ｂがハウジング本体１０から離間する方向へのカバー２０の変位を規制する抗力を発揮する。
【００５３】
また、上記カバー付きコネクタ１では、外力によって電線３０が図６の矢印Ｐ２方向に振れると、この電線３０の振れによって、カバー２０に装備した一対の突き当て部２２ａ，２２ｂの内の一方の突き当て部２２ａをハウジング本体１０から離間させる方向の荷重がカバー２０に作用する。その場合に、他方の突き当て部２２ｂ及び一対のハウジング係合突起２３は、ハウジング本体１０側との突き当たり若しくは係合によって、一方の突き当て部２２ａがハウジング本体１０から離間する方向へのカバー２０の変位を規制する抗力を発揮する。
【００５４】
即ち、以上に説明した第１実施形態のカバー付きコネクタ１では、一対のハウジング係合突起２３の他に、一対の突き当て部２２ａ，２２ｂの何れか一方が、電線から作用する荷重によってカバー２０が変位することを規制してカバー２０の位置を維持する手段として有効に働く。
【００５５】
従って、ハウジング係合部しか装備していない従来のカバー付きコネクタと比較すると、ハウジング本体１０へのカバー２０の取り付け姿勢を維持する性能が向上する。
【００５６】
そのため、ハウジング本体１０の電線引き出し用開放部１２に着脱可能に装着されるカバー２０が電線３０の振れによって荷重を受けても、その荷重によってカバー２０の取り付け姿勢が崩れたりカバー２０がハウジング本体１０から脱落したりする不都合の発生を防止することができ、カバー２０の取り付け姿勢の崩れや脱落によって電線３０の引き出し方向が乱れることを防止することができる。
【００５７】
しかも、一対の突き当て部２２ａ，２２ｂは、カバー係止溝１８に係合する際に摺動抵抗等が発生するハウジング係合部（ハウジング係合突起２３）とは異なり、カバー２０をハウジング本体１０に装着する際に摺動抵抗等を発生しないため、カバー２０のハウジング本体１０への取り付け操作力が増大することもない。
【００５８】
また、以上に説明した第１実施形態のカバー付きコネクタ１では、カバー２０が、電線３０を、端子金具の端子収容部１１への挿入方向と直交する方向に曲げた状態に位置規制するため、電線３０が端子金具の端子収容部１１への挿入方向に沿って真っ直ぐに引き出される場合と比較すると、電線３０のハウジング本体１０からの突出長を抑えて、コネクタ背部等における電線３０の配索スペースの削減を図ることができる。
【００５９】
そして、一対の突き当て部２２ａ，２２ｂが電線３０の引き出し方向に対向する位置に装備されているため、ハウジング本体１０から引き出された電線３０の振れによってカバー２０に作用する荷重は、一対の突き当て部２２ａ，２２ｂの内の一方の突き当て部側に作用点を持つ状況となり、突き当て部２２ａ，２２ｂがカバー２０の変位を規制する効果が十分に活かされる。
【００６０】
また、以上に説明した第１実施形態のカバー付きコネクタ１では、ハウジング本体１０から引き出される電線３０が保護チューブ４１に収容された状態になるため、カバー付きコネクタ１から引き出された電線３０に対する保護性能が高い。
【００６１】
［第２実施形態］
図７〜図１２は本発明に係るカバー付きコネクタの第２実施形態を示したもので、図７は第２実施形態のカバー付きコネクタの分解斜視図、図８は図７に示したカバー付きコネクタの組み立て完了状態の側面図、図９は図７に示したカバーが電線に被せられた状態のカバー内面図、図１０は図９に示したカバーのチューブ押さえを閉じた状態の斜視図、図１１は第２実施形態のカバー付きコネクタから引き出された電線がハウジング本体の前後方向に振れたときの作用説明図、図１２は図１１のＡ部の拡大図である。
【００６２】
第２実施形態のカバー付きコネクタ１Ａは、２つの端子金具を収容保持するハウジング本体１０Ａと、このハウジング本体１０Ａに着脱可能に取り付けられるカバー２０Ａと、を備える。
【００６３】
ハウジング本体１０Ａは、第１実施形態に示したハウジング本体１０の一部を改良したものである。
【００６４】
改良点は、図１０〜図１２に示すように、後部外周壁１５の下端側の外面１５１に、第２のカバー係止部１９を、追加装備した点である。外面１５１は、一対のカバー係止溝１８が設けられている外面とは異なる方向に向いている外面であり、本実施形態の場合は、電線３０の引き出し方向に位置する後部外周壁１５の下面である。
【００６５】
カバー係止部１９は、図１２に示すように、後部外周壁１５の外面１５１からチューブ押さえ２４の内側に向かって垂下した支柱部１９１と、この支柱部１９１からチューブ押さえ２４の外側に向かって突出した係止フック１９２と、を備えている。係止フック１９２は、先端に、チューブ押さえ２４の第２のハウジング係合部を係止する突起部１９２ａを備えている。
【００６６】
第２実施形態におけるハウジング本体１０Ａは、上記のカバー係止部１９を追加装備した点以外の構成は、第１実施形態のハウジング本体１０と共通になっている。第２実施形態におけるハウジング本体１０Ａにおいて第１実施形態のハウジング本体１０と共通の構成については、第１実施形態と同じ番号を付すことにより、説明を省略する。
【００６７】
カバー２０Ａは、第１実施形態に示したカバー２０の一部を改良したものである。
改良点は、図９及び図１０に示すように、第２のカバー係止部１９に係合して、ハウジング本体１０Ａとカバー２０Ａとを結合状態とする第２のハウジング係合部としてのハウジング係合孔２９を備えた点である。
【００６８】
ハウジング係合孔２９は、図９及び図１０に示すように、第２のカバー係止部１９の係止フック１９２が係合可能にチューブ押さえ２４の上部に貫通形成された係合孔である。
【００６９】
ハウジング係合孔２９は、一対のカバー係止溝１８と一対のハウジング係合突起２３とが係合した状態で、更にチューブ押さえ２４が保護チューブ４１を把持した状態にされたときに、図１０に示すように、第２のカバー係止部１９が係合する。
【００７０】
ハウジング係合孔２９と第２のカバー係止部１９との係合は、図１２に示すように、ハウジング係合孔２９の上縁部２９ａを、支柱部１９１と突起部１９２ａとで挟持した状態になるため、図１２の矢印Ｙ１方向及び矢印Ｙ２方向の双方向に対して変位を規制して、カバー２０Ａとハウジング本体１０Ａとを結合する結合部として機能する。
【００７１】
第２実施形態におけるカバー２０Ａは、上述した第２のハウジング係合部としてのハウジング係合孔２９を追加装備した点以外の構成は、第１実施形態のカバー２０と共通になっている。第２実施形態におけるカバー２０Ａにおいて第１実施形態のカバー２０と共通の構成については、第１実施形態と同じ番号を付すことにより、説明を省略する。
【００７２】
以上に説明した第２実施形態のカバー付きコネクタ１Ａの場合は、外力によって電線３０が図１１の矢印Ｐ３方向、又はＰ４方向に振れて、この電線３０の振れによってカバー２０Ａに荷重が作用するとき、上述の第１実施形態に示したように、カバー２０Ａに装備されている一対の突き当て部２２ａ，２２ｂの内の一方の突き当て部２２ｂが変位を規制する抗力を発揮するだけでなく、ハウジング係合孔２９と第２のカバー係止部１９の係合部もカバー２０Ａの変位を規制する抗力を発揮する。
【００７３】
従って、ハウジング本体１０Ａへのカバー２０Ａの取り付け姿勢を維持する性能が、第１実施形態の場合よりも更に向上する。
【００７４】
また、第２実施形態のカバー付きコネクタ１Ａにおいては、第１実施形態のカバー付きコネクタ１における効果に加えて、次に示す作用効果を得ることもできる。
【００７５】
即ち、第２実施形態のカバー付きコネクタ１Ａでは、一対のハウジング係合突起２３の他に、第２のハウジング係合部としてのハウジング係合孔２９がハウジング本体１０と係合する。そのため、カバー２０とハウジング本体１０との係合部が増加したことによって、カバー２０とハウジング本体１０との結合強度を向上させることができ、電線３０の引き出し方向を規制するカバー２０の電線保持力を向上させることができる。
【００７６】
また、第２実施形態のカバー付きコネクタ１Ａにおいては、第２のハウジング係合部としてのハウジング係合孔２９と第１のハウジング係合部としてのハウジング係合突起２３とは互いに異なる外面に備えられているため、カバー付きコネクタ１Ａの落下時等に、ハウジング係合孔２９とハウジング係合突起２３とが同時に器物と衝突することがなく、万が一、衝突により一方のハウジング係合部による係合が解除されても、他方のハウジング係合部が係合状態を維持するため、カバー２０がハウジング本体１０から脱落することがなく、カバー２０による保護性能等を維持することができる。
【００７７】
また、第２実施形態のカバー付きコネクタ１Ａにおいては、第２のハウジング係合部としてのハウジング係合孔２９が形成されるチューブ押さえ２４は、カバー２０のカバー本体２１に一体形成されているため、ハウジング係合孔２９の装備のために構成部品点数が増加することもない。
【００７８】
なお、本発明のカバー付きコネクタは、前述した各実施形態に限定されるものでなく、適宜な変形、改良等が可能である。
【００７９】
例えば、前述した実施形態において例示した電線引き出し用開放部や端子収容部やチューブ押さえなどの形状，寸法、形態、数量、配置箇所等は、本発明の目的を達成できるものであれば、任意であり、前述した各実施形態に限定されない。
【００８０】
また、電線引き出し用開放部からの電線の引き出し方向も、電線が端子金具の挿入方向と直交する方向に曲げられる形態に限らない。電線が端子金具の挿入方向に沿って真っ直ぐに引き出されるような場合でも、本発明のように一対のカバー当接部や一対の突き当て部に加えて、第１のカバー係止部や第１のハウジング係合部を装備した構成とすることによって、本発明の効果を得ることができる。
【符号の説明】
【００８１】
１，１Ａ  カバー付きコネクタ
１０，１０Ａ  ハウジング本体
１２  電線引き出し用開放部
１５  後部外周壁
１６ａ，１６ｂ  カバー当接部
１８  カバー係止溝（第１のカバー係止部）
１９  第２のカバー係止部
２２ａ，２２ｂ  突き当て部
２３  ハウジング係合突起（第１のハウジング係合部）
２９  ハウジング係合孔（第２のハウジング係合部）
３０  電線
４１  保護チューブ
【図１】
0005802065.tif 000002
【図２】
0005802065.tif 000003
【図３】
0005802065.tif 000004
【図４】
0005802065.tif 000005
【図５】
0005802065.tif 000006
【図６】
0005802065.tif 000007
【図７】
0005802065.tif 000008
【図８】
0005802065.tif 000009
【図９】
0005802065.tif 000010
【図１０】
0005802065.tif 000011
【図１１】
0005802065.tif 000012
【図１２】
0005802065.tif 000013
【図１３】
0005802065.tif 000014
【図１４】
0005802065.tif 000015